(57)【要約】【課題】  詰め替え用液体袋製品をその専用容器に補充することなく、そのまま使うことのできる袋内液体排出器を提供することにある。【解決手段】  上下方向に配置された取付盤２の表面に切断されて生じた排出口部分を開閉挟持体８でその両側から挟んで塞がれ排出口側が下向きになる状態で液体袋ａを取り付けると共に、液体袋ａの上部側を取付盤２に保持し、液体袋ａの排出口部分を挟む開閉挟持体８の長さ方向の両側を支持する第一支持受５１と第二支持受５２とを取付盤２の表面の下部側に取り付け、液体袋ａの排出口部分を両側から挟んで塞ぐ開閉挟持体８の先端側に挿入されて開閉挟持体８を両側に押し開く作動子４３の作動片４２を作動させる開閉レバー４を上下方向回りに回動自在に取付盤２の表面の下部側に軸支した。【選択図】        図１
2006232388.tif 000002
【特許請求の範囲】
【請求項１】
上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支したことを特徴とする袋内液体排出器。
【請求項２】
上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支し、上下方向に配置された取付盤の下端に支持台を取り付け、液体袋から排出された液体を手で受けるために手を入れる手挿入口を取付盤の下部側に開口したことを特徴とする袋内液体排出器。
【請求項３】
上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支し、取付盤の裏面側に基端側が支持された自在アームの先端側を連結したことを特徴とする袋内液体排出器。
【発明の詳細な説明】
【技術分野】
【０００１】  この発明は、例えば詰め替え用液体袋製品をその専用容器に補充することなく、そのまま使えるようにした袋内液体排出器に関するものである。
【背景技術】
【０００２】  従来は例えばシャンプー、台所用洗剤などを使用する場合、専用容器に液体が入っている状態で使用し、なくなると、詰め替え用液体袋から液体を専用容器に補充している。
【特許文献１】実開昭５３−２５９３
【特許文献２】実開昭６３−４５６９３
【発明の開示】
【発明が解決しようとする課題】
【０００３】  しかし、詰め替え用袋内の液体を専用容器に補充するのは、液体の一部をこぼしたり、詰め替えるのに時間がかかり、非常に大変であり、面倒であった。
また、例えば洗浄液などの液体を溜めるタンクが上部側に取り付けられ、その下部側から洗浄液などの液体を排出する液体排出器が例えばトイレなど設置されて使用されている。この排出器にあっては、下部に排出機構が設けられているが、排出機構は長期使用によって液体の一部が付着して詰まり易くなり、定期的に清掃しなければならないという不都合があった。【０００４】  この発明は、上記のような課題に鑑み、その課題を解決すべく創案されたものであって、その目的とするところは、詰め替え用液体袋製品をその専用容器に補充することなく、そのまま使うことのできる袋内液体排出器を提供することにある。
【課題を解決するための手段】
【０００５】  以上の目的を達成するために、請求項１の発明は、上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支した手段よりなるものである。【０００６】  また、請求項２の発明は、上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支し、上下方向に配置された取付盤の下端に支持台を取り付け、液体袋から排出された液体を手で受けるために手を入れる手挿入口を取付盤の下部側に開口した手段よりなるものである。【０００７】  また、請求項３の発明は、上下方向に配置された取付盤の表面に切断されて生じた排出口部分を開閉挟持体でその両側から挟んで塞がれ排出口側が下向きになる状態で液体袋を取り付けると共に、液体袋の上部側を取付盤に保持し、液体袋の排出口部分を挟む開閉挟持体の長さ方向の両側を支持する第一支持受と第二支持受とを取付盤の表面の下部側に取り付け、液体袋の排出口部分を両側から挟んで塞ぐ開閉挟持体の先端側に挿入されて開閉挟持体を両側に押し開く作動子の作動片を作動させる開閉レバーを上下方向回りに回動自在に取付盤の表面の下部側に軸支し、取付盤の裏面側に基端側が支持された自在アームの先端側を連結した手段よりなるものである。
【発明の効果】
【０００８】  以上の記載より明らかなように、この発明に係る袋内液体排出器によれば、詰め替え用液体袋製品をその専用容器に補充することなく、そのまま使うことができる。このため、補充する手間を省略でき、しかも、詰め替え用液体袋製品の取り替えの際に、液の一部がこぼれることもなく、更に、詰め替え用なので、専用容器に入った製品に比べて、安い値段で購入することもでき、経済的である。また、専用容器の場合には長期の使用により排出口が詰まることもあるが、詰め替え用液体袋の使用期間は余り長くないため排出口が液体によって詰まることもなく、このため、専用容器のように定期的な清掃も不要である等、極めて新規的有益なる効果を奏するものである。
【発明を実施するための最良の形態】
【０００９】  以下、図面に記載の発明を実施するための最良の形態に基づいて、この発明をより具体的に説明する。【００１０】〔最良の形態−１〕
ここで、図１は液体袋を取り付けた状態の袋内液体排出器の正面図、図２は袋内液体排出器の正面図、図３は袋内液体排出器の側面図、図４（Ａ）は開閉狭持体の平面図、（Ｂ）は開閉狭持体の側面図、（Ｃ）は（Ａ）の矢視断面図、図５（Ａ）は開閉狭持体の閉じた状態の平面図、（Ｂ）は開閉狭持体の開いた状態の平面図である。【００１１】  図において、袋内液体排出器１は、詰め替え用液体袋ａをその専用容器に補充することなく、そのまま使えるようにした機器で、取付盤２、支持台３、開閉レバー４、支持受５、ストッパー６、手挿入口７、開閉狭持体８、上部狭持体９などから構成されている。【００１２】  取付盤２は、詰め替え用液体袋ａをさかさまの状態で支持するために取り付けられる部分で、長方形状の板状の形状から成っており、垂直の状態で使用される。【００１３】  支持台３は、取付盤２を直接支持するもので、平面から見て、例えば、長方形の形状をしている。取付盤２の下端に取り付けられている。支持台３の下面には、例えば、滑り止めが取り付けられていて、簡単にずれたりしないようになっている。【００１４】  開閉レバー４は、取付盤２にさかさまに取り付けられた詰め替え用液体袋ａの内部に入っている液体の排出口ｂの開閉を制御するための機器である。開閉レバー４はその基端が軸４１に連結しており、この軸４１を中心にして、上下方向に回動して、詰め替え用液体袋ａの排出口ｂを開閉する。軸４１は取付盤２に軸支されている。また、軸４１を挟んで、開閉レバー４の向かい側には、作動片４２が軸４１に取り付けられている。作動片４２の先端側には、作動子４３が設けられている。この作動子４３は、開閉狭持体８の先端側に挿入されて、両側に開閉狭持体８を押し開いて液体を排出する機能を果たすものである。作動子４３は、開閉狭持体８の先端側に挿入し易い形状に形成されている。復帰バネ４４は、操作された開閉レバー４を元の位置に復帰させるバネで、軸４１の外周に螺旋状に取り付けられている。復帰バネ４４には例えばコイルバネが使用されている。作動ストッパー４５は、復帰バネ４４によって復帰させた開閉レバー４を元の位置で正確に停止させるストッパーである。【００１５】  支持受５は、開閉狭持体８を取付盤２に支持するもので、第一支持受５１と第二支持受５２から構成されている。第一支持受５１と第二支持受５２は、開閉狭持体８を２点で取付盤２に支持するもので、作動子４３が作動する側にそれぞれ取り付けられている。第一支持受５１と第二支持受５２はそれぞれ、取付盤２の表面から水平方向に突出しており、その先端は、上向きに曲がっており、少し間をあけて、同様に上向きに突起片が形成されていて、その間に開閉狭持体８を挟んで、横方向に移動するのを阻止している。これにより、開閉狭持体８は第一支持受５１と第二支持受５２によって完全に動かないように支持されている。【００１６】  ストッパー６は、作動させた開閉レバー４を作動位置で停止させる機能と、詰め替え用液体袋ａの下端側を支持する機能を備えていて、取付盤２の表面から水平方向に突出して設けられている。ストッパー６は、軸４１を挟んで、第一支持受５１と第二支持受５２の向かい側に位置している。【００１７】  第一支���受５１と第二支持受５２の下側の取付盤２の箇所には、手挿入口７が開口されている。手挿入口７は、詰め替え用液体袋ａから開閉レバー４の操作によって排出された液体を手で受けるために手を入れる部分である。【００１８】  開閉狭持体８は、詰め替え用液体袋ａの切断された液体の排出口ｂ部分を両側から挟んで、排出口ｂを塞ぐ機能を果たし、開閉レバー４の操作によって開かれて、塞いでいた詰め替え用液体袋ａの排出口ｂを一時的に開いて、液体が排出される状態をつくる。開閉狭持体８は、第一支持受５１で支持される側に取っ手８１が設けられ、取っ手８１の基端側に開閉軸８２が設けられており、開閉軸８２を挟んで、取っ手８１の反対側には、詰め替え用液体袋ａの切断された液体の排出口ｂ部分を直接両側から挟む狭持片８３が設けられている。狭持片８３の先端側は、作動子４３が挿入されやすいように両側に向けて開いている。一対の取っ手８１の片方の開閉軸８２寄りには、第一係合部８１ａが形成されている。第一係合部８１ａは、例えば、溝状に形成されていて、第一支持受５１に溝部分が係合して止められるようになっている。一対の狭持片８３の片方の先端側には、第二係合部８３ａが形成されている。係合部８３ａは、例えば、溝状に形成されていて、第二支持受５２に溝部分が係合して止められるようになっている。【００１９】  上部狭持体９は、さかさまに取付盤２に取り付けた詰め替え用液体袋ａの上部側を取付盤２に挟む形で保持するものである。上部狭持体９は、片側に取っ手９１が設けられ、取っ手９１の基端側に開閉軸９２が設けられており、開閉軸９２を挟んで、取っ手９１の反対側には、さかさまにした詰め替え用液体袋ａの上部側を直接両側から挟む狭持片９３が設けられている。【００２０】  次に、上記発明を実施するための最良の形態の構成に基づく使用方法について以下説明する。
まず、詰め替え用液体袋ａの排出口ｂとなる切り口側を開閉狭持体８で挟んで、内部の液が出ないようにした状態で詰め替え用液体袋ａの排出口ｂとなる切り口を切断する。切断後、開閉狭持体８で狭持された詰め替え用液体袋ａをさかさまにして袋内液体排出器１の取付盤２に取り付ける。取付盤２に取り付ける場合には、詰め替え用液体袋ａの排出口ｂとなる切り口側を狭持した開閉狭持体８の第一係合部８１ａを支持受５の第一支持受５１に係合し、第二係合部８３ａを支持受５の第二支持受５２に係合して取り付ける。【００２１】  そして、さかさまになった詰め替え用液体袋ａの上部側を上部狭持体９で挟んで取付盤２に取り付ける。このとき、さかさまの詰め替え用液体袋ａの下端側はストッパー６によって支持される。このようにして、さかさまの詰め替え用液体袋ａは上部狭持体９と開閉狭持体８とストッパー６とによって取付盤２に確実に取り付けられ、動くこともない。【００２２】  以上のようにして、取り付けた後、開閉レバー４を手で下向きに軸４１を中心として回動させると、軸４１を挟んで、開閉レバー４の向かい側の作動片４２は、開閉狭持体８の先端側に向かって回動し、作動片４２の先端の作動子４３が両側に開いている開閉狭持体８の狭持片８３の先端側の間に挿入され、挿入された作動子４３は、狭持片８３の両側に開いた先端側の内側にあたり、両側に押し開く。これにより、詰め替え用液体袋ａの排出口ｂとなる切り口を挟んでいた狭持片８３は両側に開かれる。その結果、詰め替え用液体袋ａの内部の液体が排出される。このとき、排出口ｂとなる切り口の下側の手挿入口７内には、片方の手があらかじめ挿入されているので、排出口ｂとなる切り口から排出された液体は、手のひらに溜まる。【００２３】  一定量排出されたところで、開閉レバー４を掴んでいた手を離すと、復帰バネ４４のはたらきによって、開閉レバー４は、元の位置に戻る。同様に、狭持片８３の先端側を両側に押し開いていた作動子４３の作動片４２も元の位置に戻る。作動子４３が元の位置に戻ると、両側に開いていた狭持片８３は再び詰め替え用液体袋ａの排出口ｂとなる切り口側を両側から狭持して内部の液が排出されるのを防ぐ。これにより、詰め替え用液体袋ａの内部の液が排出されるのが止まる。【００２４】  詰め替え用液体袋ａの内部の液体がなくなると、上部狭持体９を取り外し、支持受５に係合されていた開閉狭持体８を取り外すことにより、簡単に詰め替え用液体袋ａを袋内液体排出器１０１から取り外すことができ、その後に詰め替え用液体袋ａの排出口ｂとなる切り口側を狭持していた開閉狭持体８を取り外し、新たな詰め替え用液体袋ａを取り付け直して、以下同様な方法で袋内液体排出器１に取り付け使用する。【００２５】〔最良の形態−２〕
ここで、図６は液体袋を取り付けた状態の袋内液体排出器の正面図、図７は袋内液体排出器の正面図、図８は袋内液体排出器の側面図、図９（Ａ）は開閉狭持体の平面図、（Ｂ）は開閉狭持体の側面図、（Ｃ）は（Ａ）の矢視断面図、図１０（Ａ）は開閉狭持体の閉じた状態の平面図、（Ｂ）は開閉狭持体の開いた状態の平面図である。【００２６】  図において、袋内液体排出器１０１は、詰め替え用液体袋ａをその専用容器に補充することなく、そのまま使えるようにした機器で、取付盤１０２、開閉レバー１０４、支持受１０５、ストッパー１０６、開閉狭持体１０８、上部狭持体１０９、自在アーム１０３などから構成されている。【００２７】  取付盤１０２は、詰め替え用液体袋ａをさかさまの状態で支持するために取り付けられる部分で、長方形状の板状の形状から成っており、垂直の状態で使用される。【００２８】  取付盤１０２は自在アーム１０３によって支持されている。自在アーム１０３はその基端側が図示しない例えば壁などに支持され、自在アーム１０３の先端側が取付盤１０２の裏面側に連結されていて、この自在アーム１０３によって取付盤１０２は所望の位置に動かすことができる。【００２９】開閉レバー１０４は、取付盤１０２にさかさまに取り付けられた詰め替え用液体袋ａの内部に入っている液体の排出口ｂの開閉を制御するための機器である。開閉レバー１０４はその基端が軸１４１に連結しており、この軸１４１を中心にして、上下方向に回動して、詰め替え用液体袋ａの排出口ｂを開閉する。軸１４１は取付盤１０２に軸支されている。また、軸１４１を挟んで、開閉レバー１０４の向かい側には、作動片１４２が軸１４１に取り付けられている。作動片１４２の先端側には、作動子１４３が設けられている。この作動子１４３は、開閉狭持体１０８の先端側に挿入されて、両側に開閉狭持体１０８を押し開いて液体を排出する機能を果たすものである。作動子１４３は、開閉狭持体１０８の先端側に挿入し易い形状に形成されている。復帰バネ１４４は、操作された開閉レバー１０４を元の位置に復帰させるバネで、軸１４１の外周に螺旋状に取り付けられている。復帰バネ１４４には例えばコイルバネが使用されている。作動ストッパー１４５は、復帰バネ１４４によって復帰させた開閉レバー１０４を元の位置で正確に停止させるストッパーである。【００３０】  支持受１０５は、開閉狭持体１０８を取付盤１０２に支持するもので、第一支持受１５１と第二支持受１５２から構成されている。第一支持受１５１と第二支持受１５２は、開閉狭持体１０８を２点で取付盤１０２に支持するもので、作動子１４３が作動する側にそれぞれ取り付けられている。第一支持受１５１と第二支持受１５２はそれぞれ、取付盤１０２の表面から水平方向に突出しており、その先端は、上向きに曲がっており、少し間をあけて、同様に上向きに突起片が形成されていて、その間に開閉狭持体１０８を挟んで、横方向に移動するのを阻止している。これにより、開閉狭持体１０８は第一支持受１５１と第二支持受１５２によって完全に動かないように支持されている。【００３１】  ストッパー１０６は、作動させた開閉レバー１０４を作動位置で停止させる機能と、詰め替え用液体袋ａの��端側を支持する機能を備えていて、取付盤１０２の表面から水平方向に突出して設けられている。ストッパー１０６は、軸１４１を挟んで、第一支持受１５１と第二支持受１５２の向かい側に位置している。【００３２】  開閉狭持体１０８は、詰め替え用液体袋ａの切断された液体の排出口ｂ部分を両側から挟んで、排出口ｂを塞ぐ機能を果たし、開閉レバー１０４の操作によって開かれて、塞いでいた詰め替え用液体袋ａの排出口ｂを一時的に開いて、液体が排出される状態をつくる。開閉狭持体１０８は、第一支持受１５１で支持される側に取っ手１８１が設けられ、取っ手１８１の基端側に開閉軸１８２が設けられており、開閉軸１８２を挟んで、取っ手１８１の反対側には、詰め替え用液体袋ａの切断された液体の排出口ｂ部分を直接両側から挟む狭持片１８３が設けられている。狭持片１８３の先端側は、作動子１４３が挿入されやすいように両側に向けて開いている。一対の取っ手１８１の片方の開閉軸１８２寄りには、第一係合部１８１ａが形成されている。第一係合部１８１ａは、例えば、溝状に形成されていて、第一支持受１５１に溝部分が係合して止められるようになっている。一対の狭持片１８３の片方の先端側には、第二係合部１８３ａが形成されている。係合部１８３ａは、例えば、溝状に形成されていて、第二支持受１５２に溝部分が係合して止められるようになっている。【００３３】  上部狭持体１０９は、さかさまに取付盤１０２に取り付けた詰め替え用液体袋ａの上部側を取付盤１０２に挟む形で保持するものである。上部狭持体１０９は、片側に取っ手１９１が設けられ、取っ手１９１の基端側に開閉軸１９２が設けられており、開閉軸１９２を挟んで、取っ手１９１の反対側には、さかさまにした詰め替え用液体袋ａの上部側を直接両側から挟む狭持片１９３が設けられている。【００３４】  次に、上記発明を実施するための最良の形態の構成に基づく使用方法について以下説明する。
まず、詰め替え用液体袋ａの排出口ｂとなる切り口側を開閉狭持体１０８で挟んで、内部の液が出ないようにした状態で詰め替え用液体袋ａの排出口ｂとなる切り口を切断する。切断後、開閉狭持体１０８で狭持された詰め替え用液体袋ａをさかさまにして袋内液体排出器１０１の取付盤１０２に取り付ける。取付盤１０２に取り付ける場合には、詰め替え用液体袋ａの排出口ｂとなる切り口側を狭持した開閉狭持体１０８の第一係合部１８１ａを支持受１０５の第一支持受１５１に係合し、第二係合部１８３ａを支持受１０５の第二支持受１５２に係合して取り付ける。【００３５】  そして、さかさまになった詰め替え用液体袋ａの上部側を上部狭持体１０９で挟んで取付盤１０２に取り付ける。このとき、さかさまの詰め替え用液体袋ａの下端側はストッパー１０６によって支持される。このようにして、さかさまの詰め替え用液体袋ａは上部狭持体１０９と開閉狭持体１０８とストッパー１０６とによって取付盤１０２に確実に取り付けられ、動くこともない。【００３６】  以上のようにして、取り付けた後、開閉レバー１０４を手で下向きに軸１４１を中心として回動させると、軸１４１を挟んで、開閉レバー１０４の向かい側の作動片１４２は、開閉狭持体１０８の先端側に向かって回動し、作動片１４２の先端の作動子１４３が両側に開いている開閉狭持体１０８の狭持片１８３の先端側の間に挿入され、挿入された作動子１４３は、狭持片１８３の両側に開いた先端側の内側にあたり、両側に押し開く。これにより、詰め替え用液体袋ａの排出口ｂとなる切り口を挟んでいた狭持片１８３は両側に開かれる。その結果、詰め替え用液体袋ａの内部の液体が排出される。このとき、排出口ｂとなる切り口の下側には、片方の手があらかじめ挿入されているので、排出口ｂとなる切り口から排出された液体は、手のひらに溜まる。【００３７】  一定量排出されたところで、開閉レバー１０４を掴んでいた手を離すと、復帰バネ１４４のはたらきによって、開閉レバー１０４は、元の位置に戻る。同様に、狭持片１８３の先端側を両側に押し開いていた作動子１４３の作動片１４２も元の位置に戻る。作動子１４３が元の位置に戻ると、両側に開いていた狭持片１８３は再び詰め替え用液体袋ａの排出口ｂとなる切り口側を両側から狭持して内部の液が排出されるのを防ぐ。これにより、詰め替え用液体袋ａの内部の液が排出されるのが止まる。【００３８】  詰め替え用液体袋ａの内部の液体がなくなると、上部狭持体１０９を取り外し、支持受１０５に係合されていた開閉狭持体１０８を取り外すことにより、簡単に詰め替え用液体袋ａを袋内液体排出器１０１から取り外すことができ、その後に詰め替え用液体袋ａの排出口ｂとなる切り口側を狭持していた開閉狭持体１０８を取り外し、新たな詰め替え用液体袋ａを取り付け直して、以下同様な方法で袋内液体排出器１０１に取り付けて使用する。【００３９】  なお、この発明は上記発明を実施するための最良の形態に限定されるものではなく、この発明の精神を逸脱しない範囲で種々の改変をなし得ることは勿論である。例えば前記説明においては、取付盤２を支持台３で支持或いは取付盤１０２を自在アーム１０３で支持する場合で説明したがこれに限定さ��るものではなく、取付盤を直接壁板などに取り付けてもよい。
【産業上の利用可能性】
【００４０】  この発明に係る袋内液体排出器での使用は、詰め替え用液体袋製品に限定されるものではなく、詰め替え専用以外の液体袋製品にも適用可能である。
【図面の簡単な説明】
【００４１】
【図１】  この発明を実施するための最良の形態−１を示す液体袋を取り付けた状態の袋内液体排出器の正面図である。
【図２】  この発明を実施するための最良の形態−１を示す袋内液体排出器の正面図である。
【図３】  この発明を実施するための最良の形態−１を示す袋内液体排出器の側面図である。
【図４】  （Ａ）はこの発明を実施するための最良の形態−１を示す開閉狭持体の平面図である。（Ｂ）はこの発明を実施するための最良の形態−１を示す開閉狭持体の側面図である。（Ｃ）は（Ａ）の矢視断面図である。
【図５】  （Ａ）はこの発明を実施するための最良の形態−１を示す開閉狭持体の閉じた状態の平面図である。（Ｂ）はこの発明を実施するための最良の形態−１を示す開閉狭持体の開いた状態の平面図である。
【図６】  この発明を実施するための最良の形態−２を示す液体袋を取り付けた状態の袋内液体排出器の正面図である。
【図７】  この発明を実施するための最良の形態−２を示す袋内液体排出器の正面図である。
【図８】  この発明を実施するための最良の形態−２を示す袋内液体排出器の側面図である。
【図９】  （Ａ）はこの発明を実施するための最良の形態−２を示す開閉狭持体の平面図である。（Ｂ）はこの発明を実施するための最良の形態−２を示す開閉狭持体の側面図である。（Ｃ）は（Ａ）の矢視断面図である。
【図１０】  （Ａ）はこの発明を実施するための最良の形態−２を示す開閉狭持体の閉じた状態の平面図である。（Ｂ）はこの発明を実施するための最良の形態−２を示す開閉狭持体の開いた状態の平面図である。
【符号の説明】
【００４２】    １    袋内液体排出器
２    取付盤
３    支持台
４    開閉レバー
４１    軸
４２    作動片
４３    作動子
４４    復帰バネ
４５    作動ストッパー
５    支持受
５１    第一支持受
５２    第二支持受
６    ストッパー
７    手挿入口
８    開閉狭持体
８１    取っ手
８１ａ  第一係合部
８２    開閉軸
８３    狭持片
８３ａ  第二係合部
９    上部狭持体
９１    取っ手
９２    開閉軸
９３    狭持片
１０１    袋内液体排出器
１０２    取付盤
１０３    自在アーム
１０４    開閉レバー
１４１    軸
１４２    作動片
１４３    作動子
１４４    復帰バネ
１４５    作動ストッパー
１０５    支持受
１５１    第一支持受
１５２    第二支持受
１０６    ストッパー
１０８    開閉狭持体
１８１    取っ手
１８１ａ  第一係合部
１８２    開閉軸
１８３    狭持片
１８３ａ  第二係合部
１０９    上部狭持体
１９１    取っ手
１９２    開閉軸
１９３    狭持片
ａ    詰め替え用液体袋
ｂ    排出口
【図１】
2006232388.tif 000003
【図２】
2006232388.tif 000004
【図３】
2006232388.tif 000005
【図４】
2006232388.tif 000006
【図５】
2006232388.tif 000007
【図６】
2006232388.tif 000008
【図７】
2006232388.tif 000009
【図８】
2006232388.tif 000010
【図９】
2006232388.tif 000011
【図１０】
2006232388.tif 000012